(57)【要約】【課題】ダビング済みの番組データをより好適に削除できる映像記録装置を提供する。【解決手段】デジタル放送記録装置１００において、ＣＰＵ１２に、ＨＤＤ６に記憶された一の番組データのＤＶＤへのダビングが完了した際、ＨＤＤ６に記憶された一の番組データと対応付けてダビング完了フラグを付与させ、ＨＤＤ６に記憶させるダビング完了フラグ付与プログラム１４Ｂと、ＨＤＤ６に記憶されたダビング完了フラグの有無に基づいて、表示部７に、ＨＤＤ６に記憶された番組データのタイトルと、当該番組がダビング完了か否かを示す所定の表示とを一覧表示させる表示制御プログラム１４Ｃと、表示部７により一覧表示されているＨＤＤ６に記憶された番組データのタイトルのうち、ダビング完了フラグが付与されている番組データを、ＨＤＤ６からまとめて削除させる全削除プログラム１４Ｅと、を備えた。【選択図】図２
2008066863.tif 000002
【特許請求の範囲】
【請求項１】
番組データを記憶部に備えられた第１の記憶媒体に記憶するとともに、前記記憶部に記憶された番組データを第２の記憶媒体にダビングする映像記録装置において、
前記記憶部に記憶された一の番組データの前記第２の記憶媒体へのダビングが完了した際、前記記憶部に記憶された前記一の番組データと対応付けてダビング完了情報を付与するダビング完了情報付与手段と、
前記ダビング完了情報付与手段により付与されたダビング完了情報を記憶するダビング完了情報記憶手段と、
前記ダビング完了情報記憶手段に記憶されたダビング完了情報に基づいて、表示部に、前記記憶部に記憶された番組データのタイトルと、当該番組がダビング完了か否かを示す所定の表示とを一覧表示させる表示制御手段と、
前記表示部に一覧表示されている前記記憶部に記憶された番組データのタイトルのうち、前記記憶部から削除する番組データのタイトルを選択する選択手段と、
前記選択手段により選択されたタイトルの番組データを前記記憶部から削除する選択削除手段と、
前記ダビング完了情報が付与されている番組データの全削除を指示するための指示手段と、
前記指示手段により前記ダビング完了情報が付与されている番組データの全削除が指示された場合に、前記ダビング完了情報記憶手段に記憶されたダビング完了情報に基づいて、前記ダビング完了情報が付与されている番組データを、前記記憶部からまとめて削除する全削除手段と、
を備えることを特徴とする映像記録装置。
【請求項２】
番組データを記憶部に備えられた第１の記憶媒体に記憶するとともに、前記記憶部に記憶された番組データを第２の記憶媒体にダビングする映像記録装置において、
前記記憶部に記憶された一の番組データの前記第２の記憶媒体へのダビングが完了した際、前記記憶部に記憶された前記一の番組データと対応付けてダビング完了情報を付与するダビング完了情報付与手段と、
前記ダビング完了情報付与手段により付与されたダビング完了情報を記憶するダビング完了情報記憶手段と、
前記ダビング完了情報記憶手段に記憶されたダビング完了情報に基づいて、表示部に、前記記憶部に記憶された番組データのタイトルと、当該番組がダビング完了か否かを示す所定の表示とを一覧表示させる表示制御手段と、
前記表示部に一覧表示されている前記記憶部に記憶された番組データのタイトルのうち、前記記憶部から削除する番組データのタイトルを選択する選択手段と、
前記選択手段により選択されたタイトルの番組データを前記記憶部から削除する選択削除手段と、
を備えることを特徴とする映像記録装置。
【請求項３】
番組データを記憶部に備えられた第１の記憶媒体に記憶するとともに、前記記憶部に記憶された番組データを第２の記憶媒体にダビングする映像記録装置において、
前記記憶部に記憶された一の番組データの前記第２の記憶媒体へのダビングが完了した際、前記記憶部に記憶された前記一の番組データと対応付けてダビング完了情報を付与するダビング完了情報付与手段と、
前記ダビング完了情報付与手段により付与されたダビング完了情報を記憶するダビング完了情報記憶手段と、
前記ダビング完了情報記憶手段に記憶されたダビング完了情報に基づいて、表示部に、前記記憶部に記憶された番組データのタイトルと、当該番組がダビング完了か否かを示す所定の表示とを一覧表示させる表示制御手段と、
前記表示部により一覧表示されている前記記憶部に記憶された番組データのタイトルのうち、前記ダビング完了情報が付与されている番組データを、前記記憶部からまとめて削除する全削除手段と、
を備えることを特徴とする映像記録装置。
【請求項４】
番組データを記憶部に備えられた第１の記憶媒体に記憶するとともに、前記記憶部に記憶された番組データを第２の記憶媒体にダビングする映像記録装置において、
前記記憶部に記憶された一の番組データの前記第２の記憶媒体へのダビングが完了した際、前記記憶部に記憶された前記一の番組データのタイトルと対応付けてダビング完了情報を付与するダビング完了情報付与手段と、
前記ダビング完了情報付与手段により付与されたダビング完了情報を記憶するダビング完了情報記憶手段と、
前記ダビング完了情報が付与されている番組データの全削除を指示するための指示手段と、
前記指示手段により前記ダビング完了情報が付与されている番組データの全削除が指示された場合に、前記ダビング完了情報記憶手段に記憶されたダビング完了情報に基づいて、前記ダビング完了情報が付与されている番組データを、前記記憶部からまとめて削除する全削除手段と、
を備えることを特徴とする映像記録装置。
【発明の詳細な説明】
【技術分野】
【０００１】
本発明は、映像記録装置に関する。
【背景技術】
【０００２】
従来、映像記録装置の本体に備えられたＨＤＤ（Hard  Disk  Drive）等の記憶媒体に記録した番組データを、ＤＶＤ（Digital  Versatile  Disk）等の当該映像記録装置の外部の記憶媒体にダビングすることができる映像記録装置が知られている。例えば、外部の記憶媒体にダビング済みが否か等の評価点数に基づいて、評価点数に応じてＨＤＤ内の番組データを削除するものが知られている（例えば、特許文献１）。
また、外部の記憶媒体にダビングした場合に、順次ＨＤＤ内の番組データを削除するものも知られている（例えば、特許文献２）。
【特許文献１】特開２００５−２６０５６２号公報
【特許文献２】特開２００２−３１４９２４号公報
【発明の開示】
【発明が解決しようとする課題】
【０００３】
しかしながら、特許文献１又は２のように、ダビング済みの番組データを自動的に削除することとすると、ユーザがダビング済みであってもＨＤＤ内に取っておきたい番組データまで削除されることとなってしまう。
【０００４】
本発明の課題は、ダビング済みの番組データをより好適に削除できる映像記録装置を提供することである。
【課題を解決するための手段】
【０００５】
請求項１に記載の発明は、番組データを記憶部に備えられた第１の記憶媒体に記憶するとともに、前記記憶部に記憶された番組データを第２の記憶媒体にダビングする映像記録装置において、
前記記憶部に記憶された一の番組データの前記第２の記憶媒体へのダビングが完了した際、前記記憶部に記憶された前記一の番組データと対応付けてダビング完了情報を付与するダビング完了情報付与手段と、
前記ダビング完了情報付与手段により付与されたダビング完了情報を記憶するダビング完了情報記憶手段と、
前記ダビング完了情報記憶手段に記憶されたダビング完了情報に基づいて、表示部に、前記記憶部に記憶された番組データのタイトルと、当該番組がダビング完了か否かを示す所定の表示とを一覧表示させる表示制御手段と、
前記表示部に一覧表示されている前記記憶部に記憶された番組データのタイトルのうち、前記記憶部から削除する番組データのタイトルを選択する選択手段と、
前記選択手段により選択されたタイトルの番組データを前記記憶部から削除する選択削除手段と、
前記ダビング完了情報が付与されている番組データの全削除を指示するための指示手段と、
前記指示手段により前記ダビング完了情報が付与されている番組データの全削除が指示された場合に、前記ダビング完了情報記憶手段に記憶されたダビング完了情報に基づいて、前記ダビング完了情報が付与されている番組データを、前記記憶部からまとめて削除する全削除手段と、
を備えることを特徴としている。
【０００６】
請求項２に記載の発明は、番組データを記憶部に備えられた第１の記憶媒体に記憶するとともに、前記記憶部に記憶された番組データを第２の記憶媒体にダビングする映像記録装置において、
前記記憶部に記憶された一の番組データの前記第２の記憶媒体へのダビングが完了した際、前記記憶部に記憶された前記一の番組データと対応付けてダビング完了情報を付与するダビング完了情報付与手段と、
前記ダビング完了情報付与手段により付与されたダビング完了情報を記憶するダビング完了情報記憶手段と、
前記ダビング完了情報記憶手段に記憶されたダビング完了情報に基づいて、表示部に、前記記憶部に記憶された番組データのタイトルと、当該番組がダビング完了か否かを示す所定の表示とを一覧表示させる表示制御手段と、
前記表示部に一覧表示されている前記記憶部に記憶された番組データのタイトルのうち、前記記憶部から削除する番組データのタイトルを選択する選択手段と、
前記選択手段により選択されたタイトルの番組データを前記記憶部から削除する選択削除手段と、
を備えることを特徴としている。
【０００７】
請求項３に記載の発明は、番組データを記憶部に備えられた第１の記憶媒体に記憶するとともに、前記記憶部に記憶された番組データを第２の記憶媒体にダビングする映像記録装置において、
前記記憶部に記憶された一の番組データの前記第２の記憶媒体へのダビングが完了した際、前記記憶部に記憶された前記一の番組データと対応付けてダビング完了情報を付与するダビング完了情報付与手段と、
前記ダビング完了情報付与手段により付与されたダビング完了情報を記憶するダビング完了情報記憶手段と、
前記ダビング完了情報記憶手段に記憶されたダビング完了情報に基づいて、表示部に、前記記憶部に記憶された番組データのタイトルと、当該番組がダビング完了か否かを示す所定の表示とを一覧表示させる表示制御手段と、
前記表示部により一覧表示されている前記記憶部に記憶された番組データのタイトルのうち、前記ダビング完了情報が付与されている番組データを、前記記憶部からまとめて削除する全削除手段と、
を備えることを特徴としている。
【０００８】
請求項４に記載の発明は、番組データを記憶部に備えられた第１の記憶媒体に記憶するとともに、前記記憶部に記憶された番組データを第２の記憶媒体にダビングする映像記録装置において、
前記記憶部に記憶された一の番組データの前記第２の記憶媒体へのダビングが完了した際、前記記憶部に記憶された前記一の番組データのタイトルと対応付けてダビング完了情報を付与するダビング完了情報付与手段と、
前記ダビング完了情報付与手段により付与されたダビング完了情報を記憶するダビング完了情報記憶手段と、
前記ダビング完了情報が付与されている番組データの全削除を指示するための指示手段と、
前記指示手段により前記ダビング完了情報が付与されている番組データの全削除が指示された場合に、前記ダビング完了情報記憶手段に記憶されたダビング完了情報に基づいて、前記ダビング完了情報が付与されている番組データを、前記記憶部からまとめて削除する全削除手段と、
を備えることを特徴としている。
【発明の効果】
【０００９】
請求項１に記載の発明によれば、ダビング完了情報付与手段により、記憶部に備えられた第１の記憶媒体に記憶された一の番組データの第２の記憶媒体へのダビングが完了した際、記憶部に記憶された一の番組データと対応付けてダビング完了情報が付与され、ダビング完了情報記憶手段により、ダビング完了情報付与手段により付与されたダビング完了情報が記憶され、表示制御手段により、ダビング完了情報記憶手段に記憶されたダビング完了情報に基づいて、表示部に、記憶部に記憶された番組データのタイトルと、当該番組がダビング完了か否かを示す所定の表示とが一覧表示され、選択手段により、表示部に一覧表示されている記憶部に記憶された番組データのタイトルのうち、記憶部から削除する番組データのタイトルが選択され、選択削除手段により、選択手段によって選択されたタイトルの番組データが記憶部から削除されるので、一覧表示からダビング完了か否かを視認することができ、記憶部から削除したい番組データのみを削除することができることとなって、ダビング済みであっても記憶部に取っておきたい番組データを記憶部に残しておくことができ、ダビング済みの番組データをより好適に削除することができる。
また、指示手段により、ダビング完了情報が付与されている番組データの全削除が指示され、全削除手段により、指示手段によってダビング完了情報が付与されている番組データの全削除が指示された場合に、ダビング完了情報記憶手段に記憶されたダビング完了情報に基づいて、ダビング完了情報が付与されている番組データが、記憶部からまとめて削除されるので、指示手段によって全削除を指示するだけで、第２の記憶媒体へのダビングが完了した番組データをまとめて削除できることとなって、ダビングが完了した番組データを一つ一つ選択して削除する手間を省くことができ、ダビング済みの番組データをより好適に削除することができる。
【００１０】
請求項２に記載の発明によれば、ダビング完了情報付与手段により、記憶部に備えられた第１の記憶媒体に記憶された一の番組データの第２の記憶媒体へのダビングが完了した際、記憶部に記憶された一の番組データと対応付けてダビング完了情報が付与され、ダビング完了情報記憶手段により、ダビング完了情報付与手段により付与されたダビング完了情報が記憶され、表示制御手段により、ダビング完了情報記憶手段に記憶されたダビング完了情報に基づいて、表示部に、記憶部に記憶された番組データのタイトルと、当該番組がダビング完了か否かを示す所定の表示とが一覧表示され、選択手段により、表示部に一覧表示されている記憶部に記憶された番組データのタイトルのうち、記憶部から削除する番組データのタイトルが選択され、選択削除手段により、選択手段によって選択されたタイトルの番組データが記憶部から削除されるので、一覧表示からダビング完了か否かを視認することができ、記憶部から削除したい番組データのみを削除することができることとなって、ダビング済みであっても記憶部に取っておきたい番組データを記憶部に残しておくことができ、ダビング済みの番組データをより好適に削除することができる。
【００１１】
請求項３に記載の発明によれば、ダビング完了情報付与手段により、記憶部に備えられた第１の記憶媒体に記憶された一の番組データの第２の記憶媒体へのダビングが完了した際、記憶部に記憶された一の番組データと対応付けてダビング完了情報が付与され、ダビング完了情報記憶手段により、ダビング完了情報付与手段によって付与されたダビング完了情報が記憶され、表示制御手段により、ダビング完了情報記憶手段に記憶されたダビング完了情報に基づいて、表示部に、記憶部に記憶された番組データのタイトルと、当該番組がダビング完了か否かを示す所定の表示とが一覧表示され、全削除手段により、表示部により一覧表示されている記憶部に記憶された番組データのタイトルのうち、ダビング完了情報が付与されている番組データが、記憶部からまとめて削除されるので、一覧表示からダビング完了か否かを視認することができることとなって、ダビング済みであっても、記憶部に残しておきたい番組データがあるか否かを確認することができるとともに、第２の記憶媒体へのダビングが完了した番組データをまとめて削除できることとなって、ダビングが完了した番組データを一つ一つ選択して削除する手間を省くことができ、ダビング済みの番組データをより好適に削除することができる。
【００１２】
請求項４に記載の発明によれば、ダビング完了情報付与手段により、記憶部に備えられた第１の記憶媒体に記憶された一の番組データの第２の記憶媒体へのダビングが完了した際、記憶部に記憶された一の番組データと対応付けてダビング完了情報が付与され、ダビング完了情報記憶手段により、ダビング完了情報付与手段によって付与されたダビング完了情報が記憶され、指示手段により、ダビング完了情報が付与されている番組データの全削除が指示され、全削除手段により、指示手段によってダビング完了情報が付与されている番組データの全削除が指示された場合に、ダビング完了情報記憶手段に記憶されたダビング完了情報に基づいて、ダビング完了情報が付与されている番組データが、記憶部からまとめて削除されるので、指示手段によって全削除を指示するだけで、第２の記憶媒体へのダビングが完了した番組データをまとめて削除できることとなって、ダビングが完了した番組データを一つ一つ選択して削除する手間を省くことができ、ダビング済みの番組データをより好適に削除することができる。
【発明を実施するための最良の形態】
【００１３】
以下、図を参照して、本発明に係る映像記録装置を実施するための最良の形態を詳細に説明する。なお、本実施形態では、映像記録装置としてデジタル放送記録装置を例に挙げて説明する。
【００１４】
（第１の実施形態）
まず、本発明の第１の実施形態に係るデジタル放送記録装置１００の構成について図１，図２を参照しながら説明する。本実施形態に係るデジタル放送記録装置１００は、例えば、図１，図２に示すように、アンテナ１，チューナ部２，復調部３，デコーダ４，エンコーダ５，ＨＤＤ６，表示部７，音出力部８，入力部９，通信部１０，制御部１１等を備えて構成され、ＤＶＤ記録装置２００等と接続されている。
【００１５】
アンテナ１は、例えば、パラボラアンテナやＵＨＦアンテナ等であり、地上波デジタル放送，ＢＳ・ＣＳ放送等のデジタル放送信号を含む放送波を受信し、地上波デジタル信号，ＢＳ・ＣＳ放送信号等のＲＦ信号をチューナ部２に出力する。なお、ＣＡＴＶ回線を介して放送を受信する場合には、接続ケーブル（図示省略）等が備えられてもよい。
【００１６】
チューナ部２は、ミキサ（図示省略），選局回路（図示省略），Ａ／Ｄ変換回路（図示省略）等を備えて構成され、ミキサ，選局回路等により、アンテナ１から入力されたＲＦ信号が、ユーザが所望するチャンネルのＩＦ（Intermediate  Frequency）信号に変換され、Ａ／Ｄ変換回路により、生成されたＩＦ信号がデジタルデータに変換される。
【００１７】
復調部３は、例えば、チューナ部２から入力されるデジタルデータに復調処理等を行って、デコーダ４に出力する。
【００１８】
デコーダ４は、例えば、復調部３から入力されるデジタルデータに復号処理等を行って番組データ，音声データを生成し、表示部７，音出力部８等に出力する。
【００１９】
エンコーダ５は、デコーダ４からＣＰＵ１２を介して出力される番組データ，音声データに符号化処理を行い、ＨＤＤ６に出力する。
【００２０】
ＨＤＤ６は、例えば、第１の記憶媒体として磁気的記憶媒体等を備えて構成され、エンコーダ５から入力された番組データ及び音声データを記憶し、記憶部として機能する。
また、ＨＤＤ６は、例えば、後述するダビング完了フラグ付与プログラム１４Ｂの実行により、ダビング完了フラグが付与された番組データを記憶し、ダビング完了情報記憶手段として機能する。
【００２１】
表示部７は、例えば、ＬＣＤ（Liquid  Crystal  Display）やＰＤＰ（Plasma  Display  Panel）等を備えて構成され、デコーダ４から出力される番組データに基づく映像を表示する。
また、表示部７は、制御部１１から入力される制御信号に従って、ＨＤＤ６に記憶された番組データのタイトルと、当該番組データがダビング完了か否かを示す所定の表示とを一覧表示する。当該一覧表示の一例を図３に示す。図３には、例えば、ＨＤＤ６に記憶された番組データのタイトルが一覧表示されるとともに、当該タイトルの横にダビング完了か否かを示す第１チェックボックスと、選択されているか否かを示す第２チェックボックスとが表示されている。そして、図３において、ＤＶＤへのダビングが完了している番組データの第１チェックボックスには、例えば、レ点が表示されるようになっている。また、ＨＤＤ６から削除する番組データとして選択されている場合に、当該番組データの第２チェックボックスには、例えば、レ点が表示されるようになっている。
【００２２】
音出力部８は、例えば、スピーカ等を備えて構成され、デコーダ４から出力される音声データに基づく音声を出力する。
【００２３】
入力部９は、例えば、各種の操作信号を入力するための各種のキー等を備えたリモコン等ににより構成され、ユーザにより操作されることによって、各種の操作信号を制御部１１に出力する。
より具体的には、入力部９は、例えば、一覧表示キー（図示省略）を備え、当該一覧表示キーが押下されることによって、表示部７に、ＨＤＤ６に記憶された番組データのタイトルと、当該番組がダビング完了か否かを示す所定の表示とを一覧表示させるための操作信号を制御部１１に出力する。
また、入力部９は、表示部７に一覧表示されているＨＤＤ６に記憶された番組データのタイトルのうち、ＨＤＤ６から削除する番組データのタイトルを選択するための操作信号を制御部１１に出力し、選択手段として機能する。
また、入力部９は、後述するダビング完了情報としてのダビング完了フラグが付与されている番組データの全削除を指示する操作信号を制御部１１に出力するための全削除キーを備え、指示手段として機能する。
【００２４】
通信部１０は、例えば、入出力端子等を備えて構成され、当該デジタル放送記録装置１００とＤＶＤ記録装置２００との間の通信を行う。
【００２５】
制御部１１は、例えば、図２に示すように、ＣＰＵ（Central  Processing  Unit）１２，ＲＡＭ（Random  Access  Memory）１３，プログラム記憶部１４等を備えて構成される。
【００２６】
ＣＰＵ１２は、例えば、プログラム記憶部１４に格納された処理プログラム等を読み出して、ＲＡＭ１３に展開して実行することにより、デジタル放送記録装置１００全体の制御を行う。
【００２７】
ＲＡＭ１３は、ＣＰＵ１２により実行された処理プログラム等を、ＲＡＭ１３内のプログラム格納領域に展開するとともに、入力データや上記処理プログラムが実行される際に生じる処理結果等をデータ格納領域に格納する。
【００２８】
プログラム記憶部１４は、例えば、プログラムやデータ等が予め記憶されている記憶媒体（図示せず）を有しており、この記憶媒体は、例えば、半導体メモリ等で構成されている。また、プログラム記憶部１４は、ＣＰＵ１２がデジタル放送記録装置１００全体を制御する機能を実現させるための各種データ，各種処理プログラム，これらプログラムの実行により処理されたデータ等を記憶する。より具体的には、プログラム記憶部１４は、例えば、図２に示すように、ダビングプログラム１４Ａ，ダビング完了フラグ付与プログラム１４Ｂ，表示制御プログラム１４Ｃ，選択削除プログラム１４Ｄ，全削除プログラム１４Ｅ等を格納している。
【００２９】
ダビングプログラム１４Ａは、例えば、ＣＰＵ１２に、通信部１０を制御して、ＨＤＤ６に記憶されている番組データをＤＶＤ記録装置２００に送信させ、当該番組データを第２の記憶媒体としてのＤＶＤにダビングさせる機能を実現させるプログラムである。
【００３０】
ダビング完了フラグ付与プログラム１４Ｂは、例えば、ＣＰＵ１２に、ＨＤＤ６に記憶された一の番組データのＤＶＤへのダビングが完了した際、ＨＤＤ６に記憶された当該一の番組データと対応付けてダビング完了フラグを付与し、当該ダビング完了フラグが付与された当該一の番組データをＨＤＤ６に記憶させる機能を実現させるプログラムである。ＣＰＵ１２は、かかるダビング完了フラグ付与プログラム１４Ｂを実行することにより、ダビング完了情報付与手段として機能する。
【００３１】
表示制御プログラム１４Ｃは、例えば、ＣＰＵ１２に、表示部７を制御して、ＨＤＤ６に記憶されたダビング完了フラグの付与の有無に基づいて、ＨＤＤ６に記憶された番組データのタイトルと、当該番組がダビング完了か否かを示す所定の表示とを一覧表示させる機能を実現させるプログラムである。
より具体的には、表示制御プログラム１４Ｃは、例えば、ＣＰＵ１２に、入力部９の一覧表示キー（図示省略）が押下された場合に、当該一覧表示を表示部７に表示させる機能を実現させるプログラムである。
ＣＰＵ１２は、かかる表示制御プログラム１４Ｃを実行することにより、表示制御手段として機能する。
【００３２】
選択削除プログラム１４Ｄは、例えば、ＣＰＵ１２に、入力部９が操作されることにより、表示部７に一覧表示されたＨＤＤ６に記憶された番組データのタイトルのうち、ＨＤＤ６から削除する番組データのタイトルを選択する操作信号が入力された場合に、選択された当該タイトルの番組データをＨＤＤ６から削除する機能を実現させるプログラムである。ＣＰＵ１２は、かかる選択削除プログラム１４Ｄを実行することにより、選択削除手段として機能する。
【００３３】
全削除プログラム１４Ｅは、例えば、ＣＰＵ１２に、表示部７により一覧表示されているＨＤＤ６に記憶された番組データのタイトルのうち、ダビング完了フラグが付与されている番組データをＨＤＤ６からまとめて削除する機能を実現させるプログラムである。
より具体的には、全削除プログラム１４Ｅは、例えば、ＣＰＵ１２に、入力部９の全削除キーが押下されることにより、ダビング完了フラグが付与されている番組データの全削除を指示する操作信号が入力された場合に、当該番組データをＨＤＤ６から削除する機能を実現させるプログラムである。
ＣＰＵ１２は、かかる全削除プログラム１４Ｅを実行することにより、全削除手段として機能する。
【００３４】
ＤＶＤ記録装置２００は、例えば、ＤＶＤレコーダ等であり、デジタル放送記録装置１００から送信された番組データをＤＶＤに記憶する。
【００３５】
次に、上述のような構成の第１の実施形態に係るデジタル放送記録装置１００のダビング完了フラグ付与動作について図４に示すフローチャートを参照しながら説明する。
まず、ＣＰＵ１２は、ダビングプログラム１４Ａを実行することにより、通信部１０を制御して、ＨＤＤ６に記憶されている番組データをＤＶＤ記録装置２００に送信させ、当該番組データを記憶媒体としてのＤＶＤにダビングさせる（ステップＳ１）。
【００３６】
次に、ＣＰＵ１２は、ダビング完了フラグ付与プログラム１４Ｂを実行することにより、ＨＤＤ６に記憶された当該一の番組データと対応付けてダビング完了フラグを付与し、当該ダビング完了フラグが付与された当該一の番組データをＨＤＤ６に記憶させる（ステップＳ２）。
【００３７】
次に、第１の実施形態に係るデジタル放送記録装置１００の番組データの削除動作について図５に示すフローチャートを参照しながら説明する。
まず、メニュー画面において、入力部９が操作されることにより、番組データの削除を選択する操作信号が入力されると（ステップＳ１０１）、ＣＰＵ１２は、一覧表示キーが押下されたか否かを、一覧表示を指示する操作信号が入力されたか否かにより判断する（ステップＳ１０２）。
【００３８】
ステップＳ１０２において、ＣＰＵ１２が、一覧表示キーが押下されなかったと判断した場合には（ステップＳ１０２；Ｎｏ）、ＣＰＵ１２は、全削除キーが押下されたか否かをＨＤＤ６に記憶された番組データのうちダビング完了フラグが付与された番組データの全削除を指示する操作信号が入力されたか否かにより判断する（ステップＳ１０３）。
【００３９】
ステップＳ１０３において、ＣＰＵ１２が、全削除キーが押下されなかったと判断した場合には（ステップＳ１０３；Ｎｏ）、ステップＳ１０２に戻る。
ステップＳ１０３において、ＣＰＵ１２が、全削除キーが押下されたと判断した場合には（ステップＳ１０３；Ｙｅｓ）、ステップＳ１０８に進む。
【００４０】
ステップＳ１０２において、ＣＰＵ１２が、一覧表示キーが押下されたと判断した場合には（ステップＳ１０２；Ｙｅｓ）、ＣＰＵ１２は、表示制御プログラム１４Ｃを実行することにより、ＨＤＤ６に記憶されたダビング完了フラグの付与の有無に基づいて、ＨＤＤ６に記憶された番組データのタイトルと、当該番組がダビング完了か否かを示す所定の表示とを一覧表示させる（ステップＳ１０４）。
具体的には、ＣＰＵ１２は、表示制御プログラム１４Ｃを実行することにより、例えば、図３に示すように、ＨＤＤ６に記憶された番組データのタイトルと、当該タイトルの横にダビング完了か否かを示す第１チェックボックスと、選択されているか否かを示す第２チェックボックスとを一覧表示させ、ＤＶＤへのダビングが完了している番組データの第１チェックボックスにレ点を表示させ、ＨＤＤ６から削除する番組データとして選択されている場合に、当該番組データの第２チェックボックスにレ点を表示させる。
【００４１】
次に、ＣＰＵ１２は、全削除キーが押下されたか否かをＨＤＤ６に記憶された番組データのうちダビング完了フラグが付与された番組データの全削除を指示する操作信号が入力されたか否かにより判断する（ステップＳ１０５）。
【００４２】
ステップＳ１０５において、ＣＰＵ１２が、全削除キーが押下されなかったと判断した場合には（ステップＳ１０５；Ｎｏ）、ＣＰＵ１２は、入力部９が操作されることにより、表示部７に一覧表示されているＨＤＤ６に記憶された番組データのタイトルのうち、ＨＤＤ６から削除する番組データのタイトルを選択するための操作信号が入力されたか否かを判断する（ステップＳ１０６）。
【００４３】
ステップＳ１０６において、ＣＰＵ１２が、表示部７に一覧表示されているＨＤＤ６に記憶された番組データのタイトルのうち、ＨＤＤ６から削除する番組データのタイトルを選択するための操作信号が入力されなかったと判断した場合には（ステップＳ１０６；Ｎｏ）、ステップＳ１０５に戻る。
ステップＳ１０６において、ＣＰＵ１２が、表示部７に一覧表示されているＨＤＤ６に記憶された番組データのタイトルのうち、ＨＤＤ６から削除する番組データのタイトルを選択するための操作信号が入力されたと判断した場合には（ステップＳ１０６；Ｙｅｓ）、ＣＰＵ１２は、選択削除プログラム１４Ｄを実行することにより、選択された当該タイトルの番組データをＨＤＤ６から削除する（ステップＳ１０７）。
【００４４】
ステップＳ１０５において、ＣＰＵ１２が、全削除キーが押下されたと判断した場合には（ステップＳ１０５；Ｙｅｓ）、ＣＰＵ１２は、全削除プログラム１４Ｅを実行することにより、表示部７により一覧表示されているＨＤＤ６に記憶された番組データのタイトルのうち、ダビング完了フラグが付与されている番組データをＨＤＤ６からまとめて削除する（ステップＳ１０８）。
【００４５】
以上に説明した第１の実施形態に係るデジタル放送記録装置１００によれば、ＣＰＵ１２がダビング完了フラグ付与プログラム１４Ｂを実行することにより、ＨＤＤ６に記憶された一の番組データのＤＶＤへのダビングが完了した際、ＨＤＤ６に記憶された一の番組データと対応付けてダビング完了フラグが付与され、ＨＤＤ６により、ＣＰＵ１２がダビング完了フラグ付与プログラム１４Ｂを実行することにより付与されたダビング完了フラグが記憶され、ＣＰＵ１２が表示制御プログラム１４Ｃを実行することにより、ＨＤＤ６に記憶されたダビング完了フラグに基づいて、表示部７に、ＨＤＤ６に記憶された番組データのタイトルと、当該番組がダビング完了か否かを示す所定の表示とが一覧表示され、入力部９により、表示部７に一覧表示されているＨＤＤ６に記憶された番組データのタイトルのうち、ＨＤＤ６から削除する番組データのタイトルが選択され、ＣＰＵ１２が選択削除プログラム１４Ｄを実行することにより、入力部９によって選択されたタイトルの番組データがＨＤＤ６から削除されるので、一覧表示からダビング完了か否かを視認することができ、ＨＤＤ６から削除したい番組データのみを削除することができることとなって、ダビング済みであってもＨＤＤ６に取っておきたい番組データをＨＤＤ６に残しておくことができ、ダビング済みの番組データをより好適に削除することができる。
また、一覧表示からダビング完了か否かを視認することができることとなって、ダビング済みであっても、ＨＤＤ６に残しておきたい番組データがあるか否かを確認することができる。
また、入力部９により、ダビング完了フラグが付与されている番組データの全削除が指示され、ＣＰＵ１２が全削除プログラム１４Ｅを実行することにより、入力部９によってダビング完了フラグが付与されている番組データの全削除が指示された場合に、ＨＤＤ６に記憶されたダビング完了フラグに基づいて、ダビング完了フラグが付与されている番組データが、ＨＤＤ６からまとめて削除されるので、入力部９によって全削除を指示するだけで、ＤＶＤへのダビングが完了した番組データをまとめて削除できることとなって、ダビングが完了した番組データを一つ一つ選択して削除する手間を省くことができ、ダビング済みの番組データをより好適に削除することができる。
【００４６】
（第２の実施形態）
本発明の第２の実施形態に係るテレビジョン放送記録装置３００は、例えば、図６に示すように、プログラム記憶部１４０の構成のみが、第１の実施形態に係るテレビジョン放送記録装置１００と異なるので、同一の構成については、同一の符号を付すとともに、その説明を省略する。
【００４７】
プログラム記憶部１４０は、例えば、プログラムやデータ等が予め記憶されている記憶媒体（図示せず）を有しており、この記憶媒体は、例えば、半導体メモリ等で構成されている。また、プログラム記憶部１４０は、ＣＰＵ１２がデジタル放送記録装置３００全体を制御する機能を実現させるための各種データ，各種処理プログラム，これらプログラムの実行により処理されたデータ等を記憶する。より具体的には、プログラム記憶部１４０は、例えば、図６に示すように、録画予約データファイル１４０Ａ，ダビングプログラム１４Ａ，ダビング完了フラグ付与プログラム１４Ｂ，録画予約プログラム１４０Ｂ，表示制御プログラム１４０Ｃ，選択削除プログラム１４Ｄ，全削除プログラム１４Ｅ等を格納している。
【００４８】
録画予約データファイル１４０Ａは、例えば、ＨＤＤ６に記憶する番組データのタイトルと当該番組の放送開始時間及び放送終了時間とを対応付けて記憶している。ここで、放送開始時間及び放送終了時間は、例えば、ＥＰＧ（Electric  Program  Guide）データから取得されるようになっている。
【００４９】
録画予約プログラム１４０Ｂは、例えば、ＣＰＵ１２に、入力部９が操作されることにより、ＨＤＤ６に記憶する番組データのタイトルが入力された場合に、ＥＰＧデータから当該番組データのデータ量を取得し、当該データ量とＨＤＤ６の空き容量とを比較することによりＨＤＤ６の空き容量が当該データ量に対して不足しているか否かを判断し、ＨＤＤ６の空き容量が当該データ量に対して不足していないと判断した場合に、当該番組データのタイトルと当該番組の放送開始時間及び放送終了時間とを対応付けて録画予約データファイル１４０Ａに記憶させる機能を実現させるプログラムである。
【００５０】
表示制御プログラム１４０Ｃは、例えば、ＣＰＵ１２に、表示部７を制御して、ＨＤＤ６に記憶されたダビング完了フラグの付与の有無に基づいて、ＨＤＤ６に記憶された番組データのタイトルと、当該番組がダビング完了か否かを示す所定の表示とを一覧表示させる機能を実現させるプログラムである。
より具体的には、表示制御プログラム１４０Ｃは、例えば、ＣＰＵ１２に、録画予約プログラム１４０Ｂを実行することにより、ＨＤＤ６の空き容量がＨＤＤ６に記憶する番組データのデータ量に対して不足すると判断した場合に、表示部７を制御して、ＨＤＤ６に記憶されているダビング完了フラグの有無に基づいて、ＨＤＤ６に記憶されている番組データのタイトルと、当該番組データがダビング完了か否かを示す所定の表示とを一覧表示させる機能を実現させるプログラムである。
ＣＰＵ１２は、かかる表示制御プログラム１４０Ｃを実行することにより、表示制御手段として機能する。
【００５１】
次に、上述のような構成の第２の実施形態に係るデジタル放送記録装置３００の番組データの削除動作について図７に示すフローチャートを参照しながら説明する。
まず、入力部９が操作されることにより、ＨＤＤ６に記憶させる番組データのタイトルが入力されると（ステップＳ２０１）、ＣＰＵ１２は、録画予約プログラム１４０Ｂを実行することにより、ＥＰＧデータから当該番組データのデータ量を取得し、当該データ量とＨＤＤ６の空き容量とを比較することによりＨＤＤ６の空き容量が当該データ量に対して不足しているか否かを判断する（ステップＳ２０２）
【００５２】
ステップＳ２０２において、ＣＰＵ１２が、ＨＤＤ６の空き容量がＨＤＤ６に記憶する番組データのデータ量に対して不足すると判断した場合には（ステップＳ２０２；Ｙｅｓ）、ＣＰＵ１２は、表示制御プログラム１４０Ｃを実行することにより、表示部７を制御して、ＨＤＤ６に記憶されているダビング完了フラグの有無に基づいて、ＨＤＤ６に記憶されている番組データのタイトルと、当該番組データがダビング完了か否かを示す所定の表示とを一覧表示させる（ステップＳ２０３）。
【００５３】
次に、ＣＰＵ１２は、全削除キーが押下されたか否かをＨＤＤ６に記憶された番組データのうちダビング完了フラグが付与された番組データの全削除を指示する操作信号が入力されたか否かにより判断する（ステップＳ２０４）。
【００５４】
ステップＳ２０４において、ＣＰＵ１２が、全削除キーが押下されなかったと判断した場合には（ステップＳ２０４；Ｎｏ）、ＣＰＵ１２は、入力部９が操作されることにより、表示部７に一覧表示されているＨＤＤ６に記憶された番組データのタイトルのうち、ＨＤＤ６から削除する番組データのタイトルを選択するための操作信号が入力されたか否かを判断する（ステップＳ２０５）。
【００５５】
ステップＳ２０５において、ＣＰＵ１２が、表示部７に一覧表示されているＨＤＤ６に記憶された番組データのタイトルのうち、ＨＤＤ６から削除する番組データのタイトルを選択するための操作信号が入力されなかったと判断した場合には（ステップＳ２０５；Ｎｏ）、ステップＳ２０４に戻る。
ステップＳ２０５において、ＣＰＵ１２が、表示部７に一覧表示されているＨＤＤ６に記憶された番組データのタイトルのうち、ＨＤＤ６から削除する番組データのタイトルを選択するための操作信号が入力されたと判断した場合には（ステップＳ２０５；Ｙｅｓ）、ＣＰＵ１２は、選択削除プログラム１４Ｄを実行することにより、選択された当該タイトルの番組データをＨＤＤ６から削除し（ステップＳ２０６）、ステップＳ２０２に戻る。
【００５６】
ステップＳ２０４において、ＣＰＵ１２が、全削除キーが押下されたと判断した場合には（ステップＳ２０４；Ｙｅｓ）、ＣＰＵ１２は、全削除プログラム１４Ｅを実行することにより、表示部７により一覧表示されているＨＤＤ６に記憶された番組データのタイトルのうち、ダビング完了フラグが付与されている番組データをＨＤＤ６からまとめて削除し（ステップＳ２０７）、ステップＳ２０２に戻る。
【００５７】
ステップＳ２０２において、ＣＰＵ１２が、ＨＤＤ６の空き容量が当該データ量に対して不足していないと判断した場合には（ステップＳ２０２；Ｎｏ）、当該番組データのタイトルと当該番組の放送開始時間及び放送終了時間とを対応付けて録画予約データファイル１４０Ａに記憶させる（ステップＳ２０８）。
【００５８】
以上に説明した第２の実施形態に係るデジタル放送記録装置３００によれば、ＣＰＵ１２がダビング完了フラグ付与プログラム１４Ｂを実行することにより、ＨＤＤ６に記憶された一の番組データのＤＶＤへのダビングが完了した際、ＨＤＤ６に記憶された一の番組データと対応付けてダビング完了フラグが付与され、ＨＤＤ６により、ＣＰＵ１２がダビング完了フラグ付与プログラム１４Ｂを実行することにより付与されたダビング完了フラグが記憶され、ＣＰＵ１２が表示制御プログラム１４０Ｃを実行することにより、ＨＤＤ６に記憶されたダビング完了フラグに基づいて、表示部７に、ＨＤＤ６に記憶された番組データのタイトルと、当該番組がダビング完了か否かを示す所定の表示とが一覧表示され、入力部９により、表示部７に一覧表示されているＨＤＤ６に記憶された番組データのタイトルのうち、ＨＤＤ６から削除する番組データのタイトルが選択され、ＣＰＵ１２が選択削除プログラム１４Ｄを実行することにより、入力部９によって選択されたタイトルの番組データがＨＤＤ６から削除されるので、一覧表示からダビング完了か否かを視認することができ、ＨＤＤ６から削除したい番組データのみを削除することができることとなって、ダビング済みであってもＨＤＤ６に取っておきたい番組データをＨＤＤ６に残しておくことができ、ダビング済みの番組データをより好適に削除することができる。
また、入力部９により、ダビング完了フラグが付与されている番組データの全削除が指示され、ＣＰＵ１２が全削除プログラム１４Ｅを実行することにより、入力部９によってダビング完了フラグが付与されている番組データの全削除が指示された場合に、ＨＤＤ６に記憶されたダビング完了フラグに基づいて、ダビング完了フラグが付与されている番組データが、ＨＤＤ６からまとめて削除されるので、入力部９によって全削除を指示するだけで、ＤＶＤへのダビングが完了した番組データをまとめて削除できることとなって、ダビングが完了した番組データを一つ一つ選択して削除する手間を省くことができ、ダビング済みの番組データをより好適に削除することができる。
【００５９】
なお、ＣＰＵ１２が、録画予約プログラム１４０Ｂを実行することにより、ＨＤＤ６に記憶させる番組データのデータ量とＨＤＤ６の空き容量とを比較することによりＨＤＤ６の空き容量が当該データ量に対して不足しているか否かを判断し、ＨＤＤ６の空き容量が不足していると判断した場合に、例えば、不足しているデータ量を表示部７に表示させることにより、不足しているデータ量をユーザに知らせるように構成されてもよい。
また、ＤＶＤ記憶装置は、デジタル放送記録装置と一体的に構成されていてもよい。
また、上記実施の形態においては、入力部９に全削除キーを備える構成としたが、例えば、表示部７に表示された全削除アイコンをクリックすることにより、全削除を指示する構成であってもよい。
また、第２の記憶媒体は、ＤＶＤに限らず、例えば、ＶＴＲ用や他のＨＤＤ用の記憶媒体であってもよい。
また、記憶部の第１の記憶媒体及び第２の記憶媒体に記憶されるデータは、デジタル放送の番組データに限られず、アナログ放送の番組データであってもよいし、他の映像再生装置等の外部機器から入力される映像データ等であってもよい。
【図面の簡単な説明】
【００６０】
【図１】本発明に係るデジタル放送記録装置の概略構成を示す図である。
【図２】本発明の第１の実施形態に係るデジタル放送記録装置の構成を示すブロック図である。
【図３】本発明に係る一覧表示の一例を示す図である。
【図４】本発明に係るデジタル放送記録装置のダビング完了フラグ付与動作を説明するフローチャートである。
【図５】本発明の第１の実施形態に係るデジタル放送記録装置の番組データの削除動作を説明するフローチャートである。
【図６】本発明の第２の実施形態に係るデジタル放送記録装置の構成を示すブロック図である。
【図７】本発明の第２の実施形態に係るデジタル放送記録装置の番組データの削除動作を説明するフローチャートである。
【符号の説明】
【００６１】
６  ＨＤＤ（記憶部，ダビング完了情報記憶手段）
７  表示部
９  入力部（選択手段，指示手段）
１２  ＣＰＵ（ダビング完了情報付与手段，表示制御手段，選択削除手段，全削除手段）
１４Ｂ  ダビング完了フラグ付与プログラム（ダビング完了情報付与手段）
１４Ｃ，１４０Ｃ  表示制御プログラム（表示制御手段）
１４Ｄ  選択削除プログラム（選択削除手段）
１４Ｅ  全削除プログラム（全削除手段）
１００，３００  デジタル放送記録装置（映像記録装置）
【図１】
2008066863.tif 000003
【図２】
2008066863.tif 000004
【図３】
2008066863.tif 000005
【図４】
2008066863.tif 000006
【図５】
2008066863.tif 000007
【図６】
2008066863.tif 000008
【図７】
2008066863.tif 000009